(57)【要約】【課題】  ＥＬシートを使用した表示装置を簡単に湾曲することができ、巻くことができ、したがって、収納時にスペースを取らず、運搬が容易であり、しかも、所定の強度を確保できる表示装置を提供することを目的とするものである。【解決手段】  ＥＬシートと、袋体と、上記袋体に設けられている配線挿通部とを有する表示装置であって、上記袋体は、所定の文字、数字、記号、図形のうちの少なくとも１つが記載されている袋体であり、また、上記ＥＬシートを内蔵し、光透過性を具備している袋体である表示装置である。【選択図】  図１
2007079016.tif 000002
【特許請求の範囲】
【請求項１】
ＥＬシートと；
所定の文字、数字、記号、図形のうちの少なくとも１つが記載され、上記ＥＬシートを内蔵し、光透過性を具備している袋体と；
上記袋体に設けられている配線挿通部と；
を有することを特徴とする表示装置。
【請求項２】
請求項１において、
上記袋体は、密封されている袋体であることを特徴とする表示装置。
【請求項３】
請求項１において、
上記袋体は、フッ素加工されているテント地によって構成され、上記テント地の周辺部がシーム加工されている袋体であることを特徴とする表示装置。
【請求項４】
請求項１において、
上記袋体は、紫外線をカットする袋体であることを特徴とする表示装置。
【請求項５】
請求項４において、
上記袋体は、紫外線カット機能を具備する塗料が塗られている袋体であることを特徴とする表示装置。
【請求項６】
請求項１において、
上記袋体に記載されている上記文字は、検問中、事故、作業中、工事中のうちの少なくとも１つであり、上記袋体に記載されている上記図形は、矢印であることを特徴とする表示装置。
【請求項７】
請求項６において、
上記文字の色は、赤系統の色であり、
上記文字の背景の色は、黄色系統の色であることを特徴とする表示装置。
【請求項８】
請求項１において、
上記ＥＬシートに電力を供給するインバータを有することを特徴とする表示装置。
【発明の詳細な説明】
【技術分野】
【０００１】
本発明は、ＥＬシートを使用する表示装置に関する。
【背景技術】
【０００２】
従来のＥＬシートは、ラミネート層、透明電極、発光層、絶縁層、背面電極、ラミネート層によって構成されている（たとえば、特許文献１参照）。
【０００３】
上記ラミネート層は、保護層である。また、ＥＬシートは、全体が薄く、軽量であり、さらに、それが発光する光は、霧の中でも視認性に優れている。
【特許文献１】特開２００４−３１１４２２公報
【発明の開示】
【発明が解決しようとする課題】
【０００４】
上記保護層は、発光層を保護する必要から、比較的、硬い材質が使用され、ＥＬシートを撓ますことが困難である。
【０００５】
つまり、上記従来のＥＬシートを使用した表示装置は、その保護層が固いので、その表示装置の全体を丸めることができず、巻くことができず、可搬性、コンパクト性が劣るという問題がある。
【０００６】
また、上記従来例では、吸湿によって、ＥＬシートの配線間が次第に電気的にショートし、寿命が短くなるという問題がある。
【０００７】
本発明は、ＥＬシートを使用した表示装置を丸めることができ、巻くことができる表示装置を提供することを目的とするものである。
【０００８】
また、本発明は、ＥＬシートを使用した表示装置の吸湿性を低下させ、吸湿による電気的ショートを防止することができる表示装置を提供することを目的とするものである。
【課題を解決するための手段】
【０００９】
本発明は、ＥＬシートと、袋体と、上記袋体に設けられている配線挿通部とを有し、上記袋体は、所定の文字、数字、記号または図形が記載され、上記ＥＬシートを内蔵し、光透過性を具備している袋体である表示装置である。
【発明の効果】
【００１０】
本発明によれば、袋体が具備する強度によって、ＥＬシートを、補強することができるので、ＥＬシート自体の強度を下げることができ、つまり、ＥＬシートを構成する保護層を薄くすることができ、このために、表示装置全体に柔軟性が出るので、表示装置を巻くことができるという効果を奏する。
【００１１】
また、本発明によれば、防水性を高めれば、吸湿による電気的ショートを防止することができるという効果を奏する。
【発明を実施するための最良の形態】
【００１２】
発明を実施するための最良の形態は、次の実施例である。
【実施例１】
【００１３】
図１は、本発明の実施例１である表示装置１００を示す正面図である。
【００１４】
図２は、表示装置１００において、ＥＬシート１０とコード４１との接続部分と、袋体２０のシーム加工部２２とを拡大して示す図である。
【００１５】
表示装置１００は、ＥＬシート１０と、袋体２０と、防水手段３０と、インバータ４０と、シガーレット用コネクタ５０とを有する。
【００１６】
ＥＬシート１０は、無機エレクトロ・ルミネッセンスであり、その構造は、たとえば、ラミネート層、透明電極、発光層、絶縁層、背面電極、ラミネート層が積層されている構造である。また、ＥＬシート１０は、配線１１と、コネクタ１２とを有する。
【００１７】
袋体２０は、テント地２１と、シーム加工部２２と、配線挿通部２３とを有する。また、袋体２０のテント地２１の表面には、「検問中」の文字２４が太字で記載されている。さらに、テント地２１は、半透明であり、またフッ素加工されている。テント地２１としては、たとえば、テイジン透明テント（３６９２ＦＰ）を使用することができる。
【００１８】
配線挿通部２３は、袋体２０の一部に設けられている透孔部であり、配線を挿通する。実際には、コード４１を挿通する。
【００１９】
防水手段３０は、配線挿通部２３の周囲を防水する手段であり、防水用テープ３１と、防水用伸縮チューブ３２とを有する。防水用テープ３１は、図２に示すように、配線挿通部２３とコード４１との接合部を防水するテープであり、防水用伸縮テープ３２は、防水用テープ３１の上から巻き付け、防水性をさらに向上させるテープである。
【００２０】
インバータ４０の両側には、コード４１、４２が接続され、コード４１は、コネクタ１２を介して、ＥＬシート１０の配線１１に接続されている。コード４２は、インバータ４０とシガーレット用コネクタ５０とを接続するコードである。
【００２１】
次に、上記実施例の動作について説明する。
【００２２】
まず、表示装置１００において、ＥＬシート１０における保護層を、従来例よりも薄くし、この保護層を薄くして強度が低下した分、袋体２０自体が有する強度で補強し、保護層の強度と袋体２０の強度とによって、ＥＬシート１０として必要な強度を確保する。
【００２３】
このように、袋体２０が有する強度によって、ＥＬシート１０を強度補強できるので、ＥＬシート１０自体の強度を下げることができる。したがって、ＥＬシート１０の保護層を薄くすることができ、ＥＬシート１０が柔軟になり、また、袋体２０が柔軟であるので、表示装置１００の全体が柔軟であり、つまり、表示装置１００の全体が可撓性を持つ。よって、表示装置１００を巻き付けることができる。表示装置１００を、たとえば自動車に容易に装着することができる。
【００２４】
袋体２０は、テント地２１が使用され、テント地２１の防水性が優れ、また、テント地２１の端部をシーム加工部２２によってシームしているので、袋体２０の密封性が高い。
【００２５】
上記のように、袋体２０を密封するので、ＥＬシート１０が吸湿せず、したがって、ＥＬシート１０が吸湿することによる電気的ショートを防止することができる。
【００２６】
また、袋体２０は、それを構成するテント地２１に、紫外線カット機能を具備する塗料が塗られているので、袋体２０の紫外線遮断率が高い。このように、表示装置１００が紫外線遮断するので、紫外線によるＥＬシート１０の劣化を減少させることができる。
【００２７】
上記文字２４に、赤系統の色が塗られ、文字２４の背景には、黄色系統の色が塗られている。このように配色すれば、視認性がさらに向上する。
【００２８】
袋体２０は、上記表示装置１００を、車両の内部に取り付ける取り付け手段を有する。上記のように、車両の内部に取り付ける手段があれば、表示装置１００の取り付けが容易である。
【００２９】
袋体２０に記載されている文字２４は、「検問中」であるが、この代わりに、「事故」、「作業中」、「工事中」のうちの少なくとも１つの文字を記載するようにしてもよい。また、矢印を袋体２０の表面に印刷するようにしてもよい。この場合、矢印の色を、赤系統の色とし、矢印の背景の色を、黄色系統の色にすることが好ましい。なお、矢印以外の図形を記載するようにしてもよい。
【００３０】
上記実施例によれば、袋体２０自体の強度によってＥＬシート１０を強度補強できるので、ＥＬシート１０自体の強度を下げることができ、ＥＬシート１０の保護層を薄くすることができ、したがって、表示装置１００の全体が柔軟性に富む。
【００３１】
また、上記実施例によれば、袋体２０が密封されているので、ＥＬシート１０が吸湿せず、したがって、ＥＬシート１０が吸湿することによる電気的ショートを防止することができる。
【００３２】
上記実施例は、無機ＥＬシートを使用しているが、無機ＥＬシートの代わりに有機ＥＬシートを使用するようにしてもよい。
【００３３】
なお、上記実施例を、被災地等へ輸送する緊急輸送物資であることを明示する装置として、利用するようにしてもよい。たとえば、緊急輸送用トラック、緊急物資を格納するテント、建物に、または、緊急輸送物資自体に、上記実施例である表示装置を設けるようにしてもよい。そして、上記実施例に、「緊急輸送物資」等を表示するようにしてもよい。このようにすれば、夜間でも、緊急輸送物資であることを容易に認識することができる。
【図面の簡単な説明】
【００３４】
【図１】本発明の実施例１である表示装置１００を示す正面図である。
【図２】表示装置１００において、ＥＬシート１０とコード４１との接続部分と、袋体２０のシーム加工部２２とを拡大して示す図である。
【符号の説明】
【００３５】
１００…表示装置、
１０…ＥＬシート、
１１…配線、
１２…コネクタ、
２０…袋体、
２１…テント地、
２２…シーム加工部、
３０…防水手段、
３１…防水用テープ、
３２…防水用伸縮テープ、
４０…インバータ、
４１、４２…コード、
５０…シガーレット用コネクタ。
【図１】
2007079016.tif 000003
【図２】
2007079016.tif 000004